(57)【要約】【課題】  腕カバーの装着位置がずれることなく、快適に作業を行うことができる腕カバー付作業衣およびこれに着脱可能な腕カバーを提供することを目的としている。【解決手段】  本考案に係る腕カバー付作業衣１は、上腕側開口部３２および袖口側開口部３３を備える筒状の腕カバー３を着脱自在に装着してなる作業衣であって、前記作業衣１の袖に前記腕カバー３を着脱するための袖用係止手段２１を設けているとともに、この袖用係止手段２１に係止されるカバー用係止手段３１を前記腕カバー３の上腕側開口部３２の周縁に設けてなる。【選択図】  図１
0003171608.tif 000002
【実用新案登録請求の範囲】
【請求項１】
上腕側開口部および袖口側開口部を備える筒状の腕カバーを着脱自在に装着してなる作業衣であって、前記作業衣の袖に前記腕カバーを着脱するための袖用係止手段を設けているとともに、この袖用係止手段に係止されるカバー用係止手段を前記腕カバーの上腕側開口部の周縁に設けてなる腕カバー付作業衣。
【請求項２】
前記作業衣の袖に袖用係止手段としてボタンを設けるとともに、前記腕カバーのカバー用係止手段として前記ボタンに係止されるボタンホールまたはループを設けてなる腕カバー付作業衣。
【請求項３】
前記袖用係止手段と前記カバー用係止手段のいずれか一方を面ファスナーの雄材とし、他方を面ファスナーの雌材とした腕カバー付作業衣。
【請求項４】
請求項１から請求項３のいずれかに記載の作業衣に設けられた袖用係止手段と係止可能なカバー用係止手段を有し、上腕側開口部および袖口側開口部を備えてなる前記作業衣に着脱可能な腕カバー。
【考案の詳細な説明】
【技術分野】
【０００１】
本考案は、腕カバーの装着位置がずれない腕カバー付作業衣およびこれに着脱可能な腕カバーに関するものである。
【背景技術】
【０００２】
従来、腕カバーは上腕側開口部の周縁に内設されたゴム紐によって作業衣の袖に留めるようになっているが、作業中などに腕カバーがずり落ち、腕カバーの装着位置がずれてしまうという問題がある。
【０００３】
この問題を解決するものとして、たとえば、実開平６−６９２１７号公報には、腕カバーのずり落ちを防ぐために、腕カバーの上腕部に幅広ゴム紐を内設する作業用アームカバーが開示されている（特許文献１）。
【先行技術文献】
【特許文献】
【０００４】
【特許文献１】実開平６−６９２１７号公報
【考案の概要】
【考案が解決しようとする課題】
【０００５】
しかしながら、特許文献１に記載された考案のように幅広のゴム紐を採用した場合、幅広のゴム紐が腕を圧迫するため、かえって作業しにくいという問題がある。また、いくら幅広のゴム紐であっても、作業衣と腕カバーの摩擦による腕カバーの装着位置のずれを完全に防ぐことはできない。さらに、作業衣と腕カバーの係止手段がゴム紐のみである場合、作業衣を脱ぐと作業衣から腕カバーがはずれてしまい、再び作業衣を着るときに腕カバーを装着し直さなければならない。
【０００６】
そこで、本考案は、このような問題点を解決するためになされたものであって、腕カバーの装着位置がずれることなく、快適に作業を行うことができる腕カバー付作業衣およびこれに着脱可能な腕カバーを提供することを目的としている。
【課題を解決するための手段】
【０００７】
本考案に係る腕カバー付作業衣は、上腕側開口部および袖口側開口部を備える筒状の腕カバーを着脱自在に装着してなる作業衣であって、前記作業衣の袖に前記腕カバーを着脱するための袖用係止手段を設けているとともに、この袖用係止手段に係止されるカバー用係止手段を前記腕カバーの上腕側開口部の周縁に設けてなる。
【０００８】
そして、本考案の一態様として、前記作業衣の袖に袖用係止手段としてボタンを設けるとともに、前記腕カバーのカバー用係止手段として前記ボタンに係止されるボタンホールまたはループを設けてなることが好ましい。
【０００９】
また、本考案の一態様として、前記袖用係止手段と前記カバー用係止手段のいずれか一方を面ファスナーの雄材とし、他方を面ファスナーの雌材としてもよい。
【００１０】
さらに、本考案に係る腕カバー付作業衣に着脱可能な腕カバーは、作業衣に設けられた袖用係止手段と係止可能なカバー用係止手段を有し、上腕側開口部および袖口側開口部を備えてなる。
【考案の効果】
【００１１】
本考案の腕カバー付作業衣およびこれに着脱可能な腕カバーによれば、腕カバーの装着位置がずれることなく、快適に作業を行うことができる。
【図面の簡単な説明】
【００１２】
【図１】本考案に係る腕カバー付作業衣およびこれに着脱可能な腕カバーの一実施形態を示す正面図である。
【図２】本実施形態の作業衣本体に片方の腕カバーを装着した状態を示す正面図である。
【図３】本実施形態のカバー用係止手段がボタンホールである腕カバーの斜視図である。
【図４】本実施形態のカバー用係止手段がループである腕カバーの斜視図である。
【考案を実施するための形態】
【００１３】
以下、本考案に係る腕カバー付作業衣およびこれに着脱可能な腕カバーの一実施形態について図面を用いて説明する。
【００１４】
本実施形態に係る腕カバー付作業衣１は、図１に示すように、作業衣本体２と、腕カバー３とから構成される。以下、各構成について説明する。
【００１５】
作業衣本体２は、作業時の衣服の汚れを防止するために着用するものである。図１および図２に示すように、作業衣本体２の袖には、腕カバー３を着脱するための袖用係止手段２１が設けられている。その他の作業衣本体２の構造は、特に限定されるものではなく、頭部を被うフードやポケット等は使用目的に応じて適宜選択して採用してよい。また、素材についても特に限定されるものではなく、綿、ポリエステル、アクリル等、適宜選択して採用してよい。
【００１６】
腕カバー３は、作業衣の袖の汚れを防止するとともに、作業衣の袖の出っ張りを抑えて、作業を行いやすくするためのものである。図１ないし図４に示すように、腕カバー３は、上腕側開口部３２と袖口側開口部３３とを備えており、上腕側開口部３２の周縁には、腕カバー３を作業衣本体２の袖に着脱するためのカバー用係止手段３１が設けられている。
【００１７】
腕カバー３を使用する場合は、図１および図２に示すように、作業衣本体２の袖に腕カバー３をとおし、作業衣本体２の袖用係止手段２１に腕カバー３のカバー用係止手段３１を係止させて、作業衣本体２に腕カバー３を装着する。これにより、腕カバー３が作業衣本体２の袖に係止され、腕カバー３がずり落ちることなく、腕カバー３の装着位置のずれを防止することができる。
【００１８】
腕カバー３を使用しない場合は、袖用係止手段２１とカバー用係止手段３１の係止をはずし、腕カバー３を作業衣本体２からはずす。
【００１９】
次に、袖用係止手段２１およびカバー用係止手段３１の具体的な態様について説明する。
【００２０】
『ボタン』（図１ないし図４）
図１ないし図３に示すように、作業衣本体２の袖に袖用係止手段２１としてボタンを設け、腕カバー３の上腕側開口部３２の周縁にカバー用係止手段３１としてボタンホールを設ける。ボタン（２１）をボタンホール（３１）に嵌め、腕カバー３を作業衣本体２の袖に留める。
【００２１】
なお、上記実施形態において、カバー用係止手段３１として、ボタンホールを採用したが、ボタンホールに替えて、図４に示すように、上腕側開口部３２の周縁にループを設けて、ボタンをループに嵌めるようにしてもよい。
【００２２】
『面ファスナー』（図示せず）
作業衣本体２の袖に袖用係止手段２１としてループ状の面ファスナーの雌材を設け、腕カバー３の上腕側開口部３２の周縁にカバー用係止手段３１としてフック状の面ファスナーの雄材を設ける。面ファスナーの雌材（２１）と、面ファスナーの雄材（３１）を接合させ、腕カバー３を作業衣本体２の袖に留める。
【００２３】
なお、上記実施形態において、袖用係止手段２１を面ファスナーの雌材とし、カバー用係止手段３１を面ファスナーの雄材としたが、面ファスナーの雌材と面ファスナーの雄材を入れ替えて、袖用係止手段２１を面ファスナーの雄材とし、カバー用係止手段３１を面ファスナーの雌材としてもよい。また、ループ状の雌材とフック状の雄材とが混在された面ファスナーを袖用係止手段２１とカバー用係止手段３１のそれぞれに採用してもよい。
【００２４】
以上のように、本考案によれば、腕カバーの装着位置がずれることなく、快適に作業を行うことができる。
【００２５】
なお、本考案に係る腕カバー付作業衣およびこれに着脱可能な腕カバーは、前述した実施形態に限定されるものではなく、適宜変更することができる。たとえば、本実施形態において、袖用係止手段２１およびカバー用係止手段３１を一つずつ設けたが、袖用係止手段２１およびカバー用係止手段３１をそれぞれ複数設けてもよい。
【符号の説明】
【００２６】
１  腕カバー付作業衣
２  作業衣本体
２１  袖用係止手段
３  腕カバー
３１  カバー用係止手段
３２  上腕側開口部
３３  袖口側開口部
【図１】
0003171608.tif 000003
【図２】
0003171608.tif 000004
【図３】
0003171608.tif 000005
【図４】
0003171608.tif 000006
【手続補正書】
【提出日】平成23年9月6日(2011.9.6)
【手続補正１】
【補正対象書類名】実用新案登録請求の範囲
【補正対象項目名】全文
【補正方法】変更
【補正の内容】
【実用新案登録請求の範囲】
【請求項１】
上腕側開口部および袖口側開口部を備える筒状の腕カバーを着脱自在に装着してなる作業衣であって、前記作業衣の袖に前記腕カバーを着脱するための袖用係止手段を設けているとともに、この袖用係止手段に係止されるカバー用係止手段を前記腕カバーの上腕側開口部の周縁に設けてなる腕カバー付作業衣。
【請求項２】
前記作業衣の袖に袖用係止手段としてボタンを設けるとともに、前記腕カバーのカバー用係止手段として前記ボタンに係止されるボタンホールまたはループを設けてなる請求項１に記載の腕カバー付作業衣。
【請求項３】
前記袖用係止手段と前記カバー用係止手段のいずれか一方を面ファスナーの雄材とし、他方を面ファスナーの雌材とした請求項１に記載の腕カバー付作業衣。
【請求項４】
請求項１から請求項３のいずれかに記載の作業衣に設けられた袖用係止手段と係止可能なカバー用係止手段を有し、上腕側開口部および袖口側開口部を備えてなる前記作業衣に着脱可能な腕カバー。